(57)【特許請求の範囲】
【請求項１】
飾り部品と、飾り部品の背面に装着される合成樹脂製のクリップと、該クリップを介して前記飾り部品を固定する取付基板とからなるパチンコ機の飾り部品の取付構造であって、前記クリップは大小のフランジを頸部を介して上下に間隔を保持して連設する頭部と、この頭部の下面から垂設する弾性により縮径が可能な挿入脚とを備え、また前記飾り部品はベース板に大小の孔部を連続させて鍵穴形に形成する少なくとも２個の装着孔をこの装着孔の前記大小の孔部の連続方向が異る方向に向くように備えて、前記クリップの頭部を前記ベース板の背面側から前記それぞれの装着孔の大孔部に臨ませ、その小フランジを挿通したのち該頭部を前記小孔部に移行させて大小のフランジでベース板を挟み付けて着脱自由に取付ける一方、この取付により前記ベース板の背面から起立する前記クリップの前記挿入脚を前記取付基板に開設する取付孔に圧入し、前記飾り部品を取付基板の前面に取り外し可能に装着することを特徴とした飾り部品の取付構造。
【請求項２】
請求項１の記載において、飾り部品のベース板に設ける装着孔は大小の孔部の間に大孔部から小孔部に向けて幅間隔を徐々に縮小させる誘導部を設けることを特徴とした飾り部品の取付構造。
【発明の詳細な説明】
【０００１】
【産業上の利用分野】
本発明は、パチンコ機の遊技板や前面枠に装飾用の部品を取付けるための取付構造に関する。
【０００２】
【従来の技術】
遊技板や前面枠には入賞を表示したり、玉切れを表示する表示ランプや装飾的な照明ランプ、或いは飾り物が装着されているが、その多くは合成樹脂の成形品であり、従来はこれらの部品が木ネジを使って装着されていた。しかし木ネジや釘の打付けによる取付けは作業が厄介であり生産性に欠けると共に強い締付けや打付けによって部品自体が損傷することがありこの点からも製造効率を下げる問題があった。
【０００３】
この様なことから合成樹脂による成形性を活かしてランプ等の飾り成形品に止め付け手段を一体に設け、木ネジや釘の使用を省く方法が例えば実開昭６３ー３２５７８号、或いは同６３ー３２５７９号公報等で提案された。この止め付け手段を一体に設ける方法は遊技板等に予め取付孔を穿っておくことになるが、取付け時にはこの取付孔に止め付け手段を押し付けられるだけで自動的に装着状態が得られるため極めて作業性がよく効率的なものとなっている。
【０００４】
【発明が解決しようとする問題点】
しかし、この一体型の一つの難点は止め付手段が破損すると部品全体が使用不能となることである。前記従来例として例示した取付構造においても飾り部品の取付けは一体に備える係止片を取付孔内に素材の弾性を利用して押し入れることによって行うことから撓みの限界を超えて押し入れることがあると簡単に破損し止め付けが不能になる。この係止片の破損は取付け時に増して取り外し時に更に大きくなる。
【０００５】
一般にこの種止め付け手段は取付けの便宜を考慮していることから取り外しは比較的困難なものになっており、無理に引き抜くと簡単に破損することが多く、通常のものは再使用が不能になっている。
【０００６】
本発明は、この様な点を考慮して表示や照明のランプケース、或いは装飾用の飾り物等の飾り部品にこれとは別体に形成する合成樹脂製のクリップを着脱自由に組付け、このクリップを介して遊技板や前面枠の取付基板に対して必要ある場合には着脱自由に、また永久的固着を要する場合には取り外し不能に止め付けられるようにしたパチンコ機における飾り部品の取付構造を提供せんとするものである。
【０００７】
特に、本発明においては飾り部品に対してこれを止め付ける手段、つまりクリップを別体にすると共に、このクリップを飾り部品に着脱自在に、しかも簡単に取付けられるようにして組立の迅速化を図ると同時に交換性をよくしてクリップの破損等を生じたとき簡単に修復できるようにした取付構造を提供することにある。
【０００８】
また本発明は取付基板に対する飾り部品の取付けを容易にする一方、必要ある場合には取付基板に設ける取付孔からクリップを抜き取ることによって飾り部品を取り外し、またこれを押し込むことで再取付けが出来るようにした取付構造を提供せんとするものである。
【０００９】
【問題点を解決するための手段】
本発明は上述の目的に基づきなされたもので、その特徴とするところは飾り部品と、飾り部品の背面に装着される合成樹脂製のクリップと、該クリップを介して飾り部品を固定する取付基板とからなるパチンコ機における飾り部品の取付構造であって、前記クリップは大小のフランジを頸部を介して上下に間隔を保持して連設する頭部と、この頭部の下面から垂設する弾性縮径可能な挿入脚とを備え、また前記飾り部品はベース板に大小の孔部を連続させて鍵穴形に形成する装着孔を備えしめ、該ベース板の背面側から上記装着孔の大孔部に前記クリップの頭部を臨ませて小フランジを挿通したところで頭部を小孔部に移行して取付ける一方、この取付によってベース板背面から起立する前記クリップの挿入脚を前記取付基板に開設する取付孔に圧入することにより前記飾り部品を取付基板の前面に取り外し可能に装着することを特徴とした取付構造を提供することにある。
【００１０】
また本発明は前記飾り部品のベース板にはクリップを取付ける装着孔を複数個備えると共に、この装着孔のうち少なくとも２個の装着孔は大小の孔部の連続方向を異方向にすることを特徴とした取付構造を提供することにある。
【００１１】
また本発明は、飾り部品のベース板に設ける装着孔は大小の孔部の間に大孔部から小孔部に向けて幅間隔を徐々に縮小させる誘導部を設けることを特徴とした取付構造を提供することにある。
【００１２】
また更に本発明は取付基板に穿つ取付孔は深さの途中に段部を設け、前面側の口径をクリップの挿入脚の最大直径部より小さく、また後面側の口径をこの挿入脚の最大直径部より大きくしてなることを特徴とした取付構造を提供することにある。
【００１３】
【作    用】
本発明は上述の様に構成されることから飾り部品と別体に形成されるクリップはその頭部を飾り部品のベース板に設ける装着孔に臨ませ、先ず大孔部に小フランジを突き入れ、次に小孔部に頭部を移動させると小フランジの引き抜きが不能となって簡単に装着が完了することになる。この装着によってベース板から起立した状態の挿入脚を次に取付基板に穿つ取付孔に圧入させると、素材の反発力が作用して取付孔の内壁面に圧接し摩擦力の作用によって抜け出しが阻止され飾り部品の止め付けが完了することになる。勿論この場合上記摩擦力に抗して無理にクリップの挿入脚を引き抜けば損傷することなく外すことができ、また引き抜いた挿入脚は再び圧入することで飾り部品の止め付けを行うことができる。
次に本発明を図示する実施例について更に詳述しその特徴とするところを明らかにする。
【００１４】
【実施例】
図示する実施例は本発明を遊技板の前面に装置する内部に表示ランプ等を収納する中空部を有した合成樹脂製の飾り部品の止め付けにつき表した一例で、図面の符号１は取付基板となる遊技板を、２はこの遊技板の前面周縁部に沿って配置される飾り部品を、そして、３は飾り部品を遊技板１の所定位置に止め付けるクリップをそれぞれ示す。
【００１５】
飾り部品２は遊技板１の周縁部の略４分の３を囲む大きさを有し、ここでは遊技板の左上隅部に装着される部分２ａと、右上隅部から左側縁部、更に右下隅部に亘って装着される略逆Ｃ字形をなす部分２ｂとから構成され、そのそれぞれは遊技板前面に添わせるベース板４とこのベース板を介して取付けられるカバー５から構成されている。
【００１６】
上記ベース板４とカバー５は合成樹脂を素材に個別に成形され、ベース板４の上面にカバー５を被せて適宜設ける係止爪の係合によって両者を一つに結合させ内部を中空にした飾り部品を形成するようにしてある。尚、結合によって形成される中空部には入賞を表示する表示ランプや装飾用の照明ランプ等が収められると共にこれらランプに通電するコードが配線されることになる。
【００１７】
図中、６は上記飾り部品の内部に遊技板１に設ける透孔７を透して臨ませる表示ランプ（図示せず）を突き入れるため各部分２ａ，２ｂの隅部ベース板４に開設した窓で、８はこの飾り部品２を遊技板１に止め付けるためのクリップ３を装着するための装着孔である。
【００１８】
装着孔８は大小２つの孔部８ａ，８ｂを連続して設け鍵穴形に形成されるもので、大孔部８ａと小孔部８ｂの間には大孔部から小孔部に向けて徐々に幅間隔を狭める誘導部８ｃが設けてある。この装着孔８は次に説明するクリップ３と嵌め合わせ関係をもっており、相互に条件をもち合わせていることからクリップ３の説明に合わせて順次これらを説明することにする。
【００１９】
クリップ３は頭部９と挿入脚１０からなり、頭部９は大小２つのフランジ１１，１２と、この２つのフランジを上下に所要の間隔を保持して繋ぐ頸部１３とからなっている。
小フランジ１１は前記装着孔８の大孔部８ａより小径であって小孔部８ｂより大径な円盤形に形成され、また大フランジ１２は上記大孔部８ａより大径の円盤形に形成してある。そしてこの両フランジを繋ぐ頸部１３は飾り部品のベース板４の肉厚に略等しい長さにして両フランジ間の間隔を定めると共に、軸径を前記誘導部８ｃを通して小孔部８ｂに嵌め込める直径に形成してある。
【００２０】
この２つのフランジ１１，１２を有する頭部９に対して挿入脚１０は大フランジ１２の下面中央部から垂下し、その長さの途中の外周面に膨径部１４を備えた弾丸形に形成してある。そしてこの実施例では挿入脚１０の外周面に長さ方向のスリット１５を数条設けて素材の弾性に加えて撓み性を付与し、上記脚径部１４を縮径可能にしてある。
【００２１】
この挿入脚１０は頭部９を飾り部品の装着孔８に装着したのち飾り部品を取付ける遊技板１に穿つ取付孔１６に押し込まれ係合されるもので、従って取付孔１６の内径より幾分大径に形成されることになる。
【００２２】
取付孔１６は遊技板１を貫通して穿たれ、ここでは遊技板前面側の孔部１６ａを前記挿入脚１０の外径より小さく、また背面側の孔部１６ｂを挿入脚の外径より大きく形成して孔の深さの途中に段部１７を設けてあり、挿入脚１０を受け入れたとき、この脚の膨径部１４がこの段部１７に係合するようにしてある。
【００２３】
本発明は上述の様に構成されるもので、飾り部品の取付けの実際を通して更に説明すると、飾り部品に対して最初にクリップ３を装着し、次にこのクリップの挿入脚１０を遊技板１に設ける取付孔１６に押込むことで行われる。即ち、飾り部品２に対するクリップ３の取付けは先ずベース板４に穿つ装着孔８の大孔部８ａに頭部９の小フランジ１１を臨ませてて突き入れ、大フランジ１２がベース板４の下面に接面したところでクリップ全体を横移動させ頸部１３を誘導部８ｃを通して小孔部８ｂに移すことによって行われる。
【００２４】
頸部１３が小孔部８ｂに移されると、小フランジ１１はこの小孔部８ｂより大径に形成されていることからそのまゝ引き抜くことはできず、ベース板４の両面をこの小フランジ１１と大フランジ１２で挟持することになり装着孔８に対して安定的に取付くことになる。
尚、この頭部９の横移動に当たって頸部１３は徐々に幅員を狭める誘導部８ｃに誘導されて円滑に小孔部８ｂに移行することになるが、この誘導部８ｃの最狭小部分の幅員を頸部１３の軸径より僅かに小さく形成するとクリック感を以てカチンと小孔部８ｂに入ることになり、収り状態を安定させることができ飾り部品の取り付け作業時にクリップが脱落するのを有効に防止することができる。
【００２５】
この様にしてクリップ３をそれぞれの装着孔８に装着したのち、飾り部品２を遊技板１の前面から臨ませ、ベース板４の背面から立ち上る挿入脚１０をそれぞれ設ける取付孔１６に臨ませたのち飾り部品２の前面を押圧して圧入させ、その取付けを完了する。
挿入脚１０は前述の通り縮径可能に形成されていることから無理な押込みによって取付孔内壁面に圧接し、引き抜き方向の力に抗することになるが、更に当実施例では膨径部１４が孔内部の段部１７に係合することから更に強力な係合が実現し任意の脱落を防止することになる。
【００２６】
ところで、実施例では飾り部品２を２つの部分２ａ，２ｂに分けて別体に形成し、これを結合させて１つの部品として大型な飾り部品とすることに併せて３個のクリップ３を使って遊技板に止め付ける場合につき示したが、この場合クリップ３を装着する装着孔８の向き、つまり大小２つの孔部８ａ，８ｂの連続する方向が相互に異方向に向くように設定開設すると、これら装着孔に係入したクリップ同志が相互に拘束し合って小孔部８ｂから大孔部８ａに移動するのを阻止するため外れることがなく安定した装着状態が得られることになる。
【００２７】
この様にやゝ大型の飾り部品の場合は複数個のクリップで止め付けることが安定性の上で有利であり、また装着孔８の向きを相互に変えることで取り付けたまゝの飾り部品が横移動するのを阻止し安定的な取付けが確保されるが、その外にベース板の下面に突起を設けて遊技板前面に設ける凹所に嵌め入れ横移動を拘束するようにしてもよく、この場合には１個のクリップ３によって取付けても安定した取付けが出来る。勿論、この場合取り付ける飾り部品の全体を受け入れる嵌合凹部を遊技板に設けて上記ベース板に設ける突起に代えても同効である。
【００２８】
【発明の効果】
以上本発明を実施例につき詳述したが、飾り部品を止め付ける手段となるクリップが別体に成形され、組付ける構成としたことからこのクリップに損傷を生じても、簡単に交換することができ使用に供せられると共に、飾り部品自体に止め付け手段を一体成形する必要がないので製造性に優れ、また飾り部品の設計を自由にできる利点がある。
【００２９】
また、本発明取付構造は飾り部品の装着孔に頭部を突き入れ横移動させることでクリップを装着することができ、また遊技板に対してはこのクリップを押圧し取付孔に圧入するだけで取付作業が完了するため従来の木ネジ等による固着方法に比較して遙に有利である。
特に、本発明においては複数個設ける装着孔の各大小の孔部の向きを異なる向きにすることによって各装着孔に装着されるクリップの頭部の移動が相互に拘束されることになる結果、係止後は挿入脚の引き抜き以外に外せなくなるので安定した係止状態が得られることになる。
勿論上記クリップは挿入脚の形状、太さと遊技板に穿つ取付孔の形状、内径の関係でその係止力に差が生じるが、前記の如く摩擦係合力によって止着する場合には引き抜きが可能となるため補修等の際極めて有利になる。
【図面の簡単な説明】
【図１】遊技板の背面側からみた分解斜視図。
【図２】飾り部品に装着したクリップを遊技板の取付孔に圧入する直前を示した一部断面とした拡大説明図。
【図３】クリップの挿入脚を遊技板の取付孔に圧入し飾り部品を取付けた状態を示す一部断面とした拡大説明図。
【図４】飾り部品の装着孔にクリップの頭部を装着した状態を示す拡大説明斜視図。
【図５】クリップの正面図。
【図６】装着孔の平面図。
【符号の説明】
１          取付基板たる遊技板
２          飾り部品
３          クリップ
４          ベース板
５          カバー
８          装着孔
８ａ        装着孔の大孔部
８ｂ        装着孔の小孔部
８ｃ        装着孔の誘導部
９          クリップの頭部
１０        クリップの挿入脚
１１        クリップ頭部の小フランジ
１２        クリップ頭部の大フランジ
１３        クリップ頭部の頸部
１４        挿入脚の膨径部
１６        取付孔
１７        取付孔の段部
【図１】
0003813191.tif 000002
【図２】
0003813191.tif 000003
【図３】
0003813191.tif 000004
【図４】
0003813191.tif 000005
【図５】
0003813191.tif 000006
【図６】
0003813191.tif 000007